(57)【特許請求の範囲】
【請求項１】
多数のスラットを互いに屈曲自在に連結してなるシャッターカーテンの上端部を巻胴に結合し、その巻胴にシャフトを回転自在に挿入し、前記シャフトの両端部にブラケットを固着してなるシャッターユニットを、開口部の上方に取付けられるシャッターボックスの両側の側壁に固定するシャッターユニット取付装置において、
前記シャッターボックスの両側の側壁の上辺の中間部に係止用切欠を設けるとともに、前記側壁の上辺の前端から前記係止用切欠の上端面にかけて上り傾斜する案内部を形成し、前記側壁の下端部内側に前方及び上方に開口する横溝を設け、前記ブラケットの手前側部分に他のブラケット方向に突出する手掛け部を設けるとともに、そのブラケットの上部に他のブラケットと反対側に突出するフックを設け、
前記シャッターユニットを、前記フックを前記シャッターボックスの両側の側壁の上辺の案内部に係合させた状態で前記開口部の方向に押す際に、前記フックが前記案内部を摺動し、かつ前記係止用切欠に陥落して嵌合係止するとともに、前記ブラケットの下端部が前記横溝に嵌合して固定されるようにしたことを特徴とするシャッターユニット取付装置。
【発明の詳細な説明】
【０００１】
【発明の属する技術分野】
本発明は、シャッター装置のシャッターユニットを建物に固定されたシャッターボックスの側壁に取付けるシャッターユニットの取付装置に関する。
【０００２】
【従来の技術】
図３は、従来のシャッターユニット取付装置を簡略に示す分解斜視図である。１はシャッターボックスを構成する側壁であり、２はそのシャッターボックスを構成するカバーであり、３はシャッターユニットである。
側壁１は建物開口部の上方において躯体又は壁構成部材に固定され、その間にシャッターユニット３を収容する空間を形成する。カバー２は、側壁１の間にシャッターユニット３を取付けた後に、側壁１に連結されて、シャッターユニット３を隠蔽する。
シャッターユニット３は、周知の構造を有するものであり、中空の巻胴３１と、その巻胴に貫通され、巻胴を回転自在に支持するシャフト３２と、シャフト３２に巻回され、両端がそれぞれ巻胴とシャフトに結合された重量バランス用コイルバネ（不図示）と、シャフト３２の両端部に固着されたブラケット３３と、横長帯板状の多数のスラット３４ａを互いに屈曲自在に順次連結してなり、上端部が巻胴に結合されて、巻胴に巻取られ又は巻戻されるシャッターカーテン３４とを備えている。
【０００３】
このシャッターユニット３を建物開口部の上方に取付ける時は、シャッターユニット３を水平状態にして、建物に固定されている両側の側壁１の間に挿入し、水平状態を保持したままブラケット３３の内側からビス等を側壁１にねじ込むことにより固定していた。
【０００４】
【発明が解決しようとする課題】
上記従来技術は、側壁１及びブラケット３３のいずれも単純な板状に形成されていて、ねじのねじ込みにより固着するので、ねじ込み作業が終了するまで、シャッターユニット３を手で水平状態に保持する必要があった。
シャッターユニット３は、とくにシャッターカーテン３４のスラット３４ａが鋼板製である場合は、相当の重量を有するので、シャッターユニット３の持ち上げ、水平状態での支持を容易にするため、両ブラケットの間に連結棒３５を掛け渡し、複数人の作業者がこれを支持しながら、固定作業をしていた。
従って、シャッターカーテン３４の幅と等しい長さの連結棒３５と、その取り付けとを必要としたので、シャッターカーテン３４の幅の種類に応ずる数の連結棒３５を用意する必要があり、材料コストが掛り、部品管理が複雑である。さらに、連結棒３５を用いても、側壁１への固着作業が終了するまで、作業者の手が長時間奪われ、また、支持安定性が低いためにねじのねじ込み作業能率に難点があり、さらに、ややもすれば、シャッターユニット３の落下事故を起こす恐れがあった。
【０００５】
本発明は、上記の点に鑑みてなされたものであり、その課題は、シャッターユニットの取付けを簡単な作業により迅速かつ確実に行うことができるようにすることにある。
【０００６】
【課題を解決するための手段】
上記課題を解決するため、本発明は、多数のスラットを互いに屈曲自在に連結してなるシャッターカーテンの上端部を巻胴に結合し、その巻胴にシャフトを回転自在に挿入し、シャフトの両端部にブラケットを固着してなるシャッターユニットを、開口部の上方に取付けられるシャッターボックスの両側の側壁に固定するシャッターユニット取付装置において、前記シャッターボックスの両側の側壁の上辺の中間部に係止用切欠を設けるとともに、前記側壁の上辺の前端から前記係止用切欠の上端面にかけて上り傾斜する案内部を形成し、前記側壁の下端部内側に前方及び上方に開口する横溝を設け、前記ブラケットの手前側部分に他のブラケット方向に突出する手掛け部を設けるとともに、そのブラケットの上部に他のブラケットと反対側に突出するフックを設け、前記シャッターユニットを、前記フックを前記シャッターボックスの両側の側壁の上辺の案内部に係合させた状態で前記開口部の方向に押す際に、前記フックが前記案内部を摺動し、かつ前記係止用切欠に陥落して嵌合係止するとともに、前記ブラケットの下端部が前記横溝に嵌合して固定されるようにしたことを特徴としている。
上記構成により、シャッターユニットを取付ける際は、両側の手掛け部を持ってシャッターユニットを容易に水平状態を保ちつつ、フックをシャッターボックスの両側の側壁の上辺の案内部に係合させることができ、その係合させた状態で前記開口部の方向に押すと、フックが案内部を摺動し、係止用切欠に陥落して嵌合係止する。これと同時に、ブラケットの下端部が横溝に嵌合して固定される。従って、シャッターユニットを安全確実迅速に取付けることができる。
【０００７】
【発明の実施の形態】
続いて、本発明の形態について、図面を参照して説明する。
図１は、一実施例の主たる構成要素の構成を示す要部斜視図、図２は図１のブラケットのみを反対側から見た斜視図である。
【０００８】
図１において、１０は、シャッターボックスを構成する側壁である。この側壁１０は、鋼板製であるが、好ましくは強度増大のため波形に加工されている。好ましくは、下端部内側に前方（図１においては左方）及び上方に開口された横溝１１が形成されている。また、側壁１０の後端部は外側に直角に屈曲され、その屈曲部１２の背面に取付け板１３が溶着その他の方法で一体的に接合されている。好ましくは、取付け板１３の内側端部は前方に直角に屈曲されて、側壁１０との間に前方及び上方に開口し、かつ、横溝１１と直角に連通するほぼ等幅の縦溝１４が形成されている。
【０００９】
本発明の新規な構成の一つとして、側壁１０の上辺のほぼ中央に上方及び内外方向に開放された切欠１５が形成してある。そして、好ましい実施例では、側壁１０の上辺の切欠１５よりも手前側部分に、切欠１５の上端面にかけて滑らかに上り傾斜して連続する案内部１６が形成されていて、その案内部１６の前端は、切欠１５の底と等しい高さとされている。
【００１０】
図１には、シャッターボックスの左側の側壁しか示されていないが、この側壁と左右対称形の右側の側壁が用意されている。そして、これらの側壁１０は、取付け板１３に形成された孔１７に貫通した木ねじ１８を建物の躯体又は壁にねじ込むことにより、建物開口部の上方部位に固定される。
【００１１】
図１の２０は、シャッターユニット３０の一部を構成するブラケットである。シャッターユニット３０は、ブラケット２０を除けば、他の構成部材、すなわち、シャフト、巻胴３１、重量バランス用コイルバネ及びシャッターカーテン３４は、従来品と異ならないので、図１には一部の図示を省略してある。なお、図１の４０は、開口部の両側に設けられ、シャッターカーテンの幅方向両端部を昇降自在に案内するガイドレールである。
ブラケット２０は、好ましくは軽量化と必要な強度を備えるため、硬質プラスチックでほぼ矩形ブロック状に成形されている。このブラケットの厚さは、側壁１０の横溝１１及び縦溝１４の幅とほぼ等しくされている。
【００１２】
そして、本発明のもう一つの新規な構成要素として、ブラケット２０の手前側の上部に、すなわち、シャッターユニットを両側壁の間に取付ける際に作業者が位置する側（図１においては左側）の上部に、他のブラケット方向に延出する手掛け部２１が一体に成形されている。手掛け部２１を金属製としてブラケット２０とは別体に形成し、これをブラケット２０に固着しても良い。また、手掛け部を設ける位置は、ブラケットの手前側であれば、その上部に限られるものではない。中間部又は下部にしても良い。
【００１３】
ブラケット２０には、本発明のさらにもう一つの新規な構成要素として、ブラケットの上部から外側に、すなわち、他のブラケットと反対側に突出するフック（鉤状の係止片）２２が設けられている。このフック２２は前記側壁１０の切欠１５に陥落して嵌合係止されるように、直角下方に屈曲されている。この場合、左右のフック２２間の距離は、左右の側壁１０の切欠１５間の距離とほぼ一致させてある。
【００１４】
フック２２は所要の強度を備えるため、また、できるだけ肉薄にするため、薄鋼板で形成されている。図示の好ましい実施例では、同じ薄鋼板でフック２２とシャフトの軸受部材２３とを断面７字形となるように一体に形成することにより、フック２２と軸受部材２３をブラケット２０に対してねじ２４により容易に取付けられるようにしてある。しかし、フックの形状、取付け構造は図示の例に限定されるものではない。
【００１５】
側壁１０及びブラケット２０の上記のような構成により、シャッターユニット３０を建物に取付ける場合は、両側の手掛け部２１を持ってシャッターユニット３０を安全かつ確実に水平状態に持ち上げることができる。そして、左右のフック２２を左右の側壁の上辺の前端部に位置合わせし、そのままシャッターユニット３０を両側壁１０の間に押し込む。その際に、フック２２を側壁１０の上辺の案内部１６に嵌合させて押し込むことにより、フック２２を切欠１５に向けて容易に案内誘導することができる。そして、シャッターユニット３０が所定の位置まで移動されると、ブラケット２０の先端部は縦溝１４に嵌合され、フック２２は切欠１５に合致してこれに陥落し嵌合して係止される。この時、側壁１０の上辺の案内部１６の前端の高さと切欠５の底の高さとを同じにしてあるので、フック２２が切欠１５に陥落した時には、ブラケット２０の底部は側壁の横溝１１に嵌合する。
なお、側壁１０の上辺の上り傾斜する案内部１６は、これを設けることにより、フック２２をその案内部に嵌合させて移動する際にブラケットの底部が横溝１１の底部に接触しないので、移動を容易にできる利点がある。
【００１６】
このようにして、フック２２を切欠１５に嵌合係止した時は、ブラケット２０はフック２２と側壁の切欠１５との係合、ブラケット２０と横溝１１及び縦溝１４との嵌合により、非常に安定して堅固に固定される。従って、従来と異なり、ブラケットを側壁にねじ止めする必要がない。側壁１０が薄鋼板製の場合は、上記のように溝構造とすることが加工数が少ないので好ましいが、ブラケットを同様に堅固に固定するためには、横溝及び縦溝との嵌合に代えて、他の形状の係止手段を用いることもできる。
【００１７】
上記実施例によれば、シャッターユニット３０を手掛け部２１を持って安全確実に持ち上げと移動ができ、しかも、フック２２を切欠１５に嵌合係止するだけの簡単な作業で、シャッターユニット３０が堅固に固定されるので、従来のように不安定で面倒な支持作業及びねじ締め作業が不要となり、施工能率が非常に高くなる。
【００１８】
図示の実施例の切欠１５及びフック２２は、側壁１０及びブラケット２０に設けられる係止手段の一例に過ぎない。係止手段は、ブラケットを両側の側壁の間に移動して嵌合する際に、一方が他方に陥落して嵌合係止する他の任意の形状として、かつ、任意の位置に設けることもできる。ブラケット２０は側壁の横溝１１及び縦溝１４に嵌合して、左右方向にガタ付かないように固定されるので、例えば、側壁の上辺と横溝を形成する内側立上がり壁とに切欠を形成し、ブラケットの外面の上下に突設した軸を前記上下の切欠に陥落により嵌合係止するようにしてもよい。また、側壁１０の対向面に軸を突設するともとに、ブラケットの外面に横転Ｌ字形の溝を形成し、前記軸をその溝の水平部分に移動させた後、垂直部分において陥落させて嵌合係止することにより、固定する構造とすることもできる。
【００１９】
【発明の効果】
上述のように、本発明によれば、ブラケットの手前側部分に他のブラケット方向に突出する手掛け部を設けてあるので、その手掛け部を持ってシャッターユニットを容易に水平状態を保って両側の側壁の間に移動することができる。また、シャッターユニットはその上部に設けられたフックをシャッターボックスの両側の側壁の上辺の案内部に係合させた状態で開口部の方向に押すと、フックが前記案内部を摺動し、かつ前記係止用切欠に陥落して嵌合係止するとともに、前記ブラケットの下端部が前記横溝に嵌合して固定されるので、釘やねじによる固着が不要であり、シャッターユニットの円滑、安全かつ堅固な取付けが可能である。
【図面の簡単な説明】
【図１】本発明の要部を示す斜視図。
【図２】図１のブラケットのみを反対側から見た斜視図。
【図３】従来のシャッターユニット取付装置を説明する分解斜視図。
【符号の説明】
１０      シャッターボックスの一つの構成要素である側壁
１１      横溝
１４      縦溝
１５      切欠（係止手段）
２０      ブラケット
２１      手掛け部
２２      フック（係止手段）
３０      シャッターユニット
【図１】
0003574398.tif 000002
【図２】
0003574398.tif 000003
【図３】
0003574398.tif 000004